(57)【要約】      （修正有）【課題】従系の無停電電源装置の発熱を抑制することができる制御装置、制御方法及びコンピュータプログラムを提供することである。【解決手段】無停電電源システム１において、制御装置１００−２は、制御部を持つ。制御部は、負荷へ電力を供給する第１無停電電源装置１０−１が停止した場合に、第２無停電電源装置１０−２が備える蓄電池４０−２の充放電に関する所定の機器２０−２、３０−２を停止した状態で、商用電源５から得られる電力を負荷２００へ供給するように第２無停電電源装置を制御する。制御部は、前記蓄電池から取得される電力に関する所定の値が、前記蓄電池から得られる電力を前記負荷へ供給できなくなることを示す所定の条件である電力条件を満たす場合、前記充電に関する所定の機器を起動するように制御し、前記所定の値が前記電力条件を満たさない場合、前記充電に関する所定の機器を停止するように制御する。【選択図】図１
2020137224.tif 000002
【特許請求の範囲】
【請求項１】
負荷へ電力を供給する第１無停電電源装置が停止した場合に、第２無停電電源装置が備える蓄電池の充放電に関する所定の機器を停止した状態で、商用電源から得られる電力を前記負荷へ供給するように第２無停電電源装置を制御する制御部を備え、
前記制御部は、前記蓄電池から取得される電力に関する所定の値が、前記蓄電池から得られる電力を前記負荷へ供給できなくなることを示す所定の条件である電力条件を満たす場合、前記充電に関する所定の機器を起動するように制御し、前記所定の値が前記電力条件を満たさない場合、前記充電に関する所定の機器を停止するように制御する、
制御装置。
【請求項２】
負荷へ電力を供給する第１無停電電源装置が停止した場合に、第２無停電電源装置が備える蓄電池の充電に関する所定の機器を停止した状態で、前記蓄電池から得られる電力を前記負荷へ供給するように制御する制御部を備え、
前記制御部は、前記蓄電池に基づいて取得される電力に関する所定の値と前記蓄電池から得られる電力を前記負荷へ供給できなくなることを示す所定の条件である電力条件とに基づいて、前記蓄電池の充電に関する所定の機器の起動又は停止を制御することで前記蓄電池を間欠して充電する、
制御装置。
【請求項３】
前記電力条件は、前記所定の値が前記負荷へ電力を供給できなくなることを示す閾値よりも小さい値であることである、請求項１又は２に記載の制御装置。
【請求項４】
前記蓄電池は、リチウムイオン電池である、請求項１から３のいずれか一項に記載の制御装置。
【請求項５】
制御装置が、負荷へ電力を供給する第１無停電電源装置が停止した場合に、第２無停電電源装置が備える蓄電池の充放電に関する所定の機器を停止した状態で、商用電源から得られる電力を前記負荷へ供給するように第２無停電電源装置を制御する制御ステップを有し、
前記制御ステップにおいて、前記蓄電池から取得される電力に関する所定の値が、前記蓄電池から得られる電力を前記負荷へ供給できなくなることを示す所定の条件である電力条件を満たす場合、前記充電に関する所定の機器を起動するように制御し、前記所定の値が前記電力条件を満たさない場合、前記充電に関する所定の機器を停止するように制御する、
制御方法。
【請求項６】
制御装置が、負荷へ電力を供給する第１無停電電源装置が停止した場合に、第２無停電電源装置が備える蓄電池の充電に関する所定の機器を停止した状態で、前記蓄電池から得られる電力を前記負荷へ供給するように制御する制御ステップを有し、
前記制御ステップにおいて、前記蓄電池に基づいて取得される電力に関する所定の値と前記蓄電池から得られる電力を前記負荷へ供給できなくなることを示す所定の条件である電力条件とに基づいて、前記蓄電池の充電に関する所定の機器の起動又は停止を制御することで前記蓄電池を間欠して充電する、
制御方法。
【請求項７】
請求項１から４のいずれか一項に記載の制御装置としてコンピュータを機能させるためのコンピュータプログラム。
【発明の詳細な説明】
【技術分野】
【０００１】
本発明の実施形態は、制御装置、制御方法及びコンピュータプログラムに関する。
【背景技術】
【０００２】
従来、インターネットデータセンター、銀行又は証券会社のオンラインシステム等の負荷設備の電源は、停電が発生した場合でも定電圧・定周波数の状態が継続して維持される必要がある。そのため、外部の商用電源から供給される交流電源が喪失した場合には、蓄電池に充電された電力を負荷設備に供給する無停電電源装置（ＵＰＳ：Uninterruptible Power Supply）が一般的に用いられている。無停電電源装置は、無停電電源装置自身が故障した場合に備えて、複数台で冗長化される場合がある。無停電電源装置の冗長化の方式の１つに、待機冗長方式がある。待機冗長方式は、負荷設備に電力を供給する主系と主系の無停電電源装置が故障等によって電力を供給していない場合に負荷設備へ電力を供給する従系とで構成される。従系の無停電電源装置は、主系の無停電電源装置が電力を供給する間、無負荷待機状態である。無停電電源装置は、定格容量の５％程度の発熱を行う。このような発熱は、従系の無停電電源装置においても発生する。このため、従系の無停電電源装置における発熱によって、電力が無駄に消費される場合があった。
【先行技術文献】
【特許文献】
【０００３】
【特許文献１】特開２００３−８７９９８号公報
【特許文献２】特開２００５−２１８２００号公報
【発明の概要】
【発明が解決しようとする課題】
【０００４】
本発明が解決しようとする課題は、従系の無停電電源装置の発熱を抑制することができる制御装置、制御方法及びコンピュータプログラムを提供することである。
【課題を解決するための手段】
【０００５】
実施形態の制御装置は、制御部を持つ。制御部は、負荷へ電力を供給する第１無停電電源装置が停止した場合に、第２無停電電源装置が備える蓄電池の充放電に関する所定の機器を停止した状態で、商用電源から得られる電力を前記負荷へ供給するように第２無停電電源装置を制御する。前記制御部は、前記蓄電池から取得される電力に関する所定の値が、前記蓄電池から得られる電力を前記負荷へ供給できなくなることを示す所定の条件である電力条件を満たす場合、前記充電に関する所定の機器を起動するように制御し、前記所定の値が前記電力条件を満たさない場合、前記充電に関する所定の機器を停止するように制御する。
【図面の簡単な説明】
【０００６】
【図１】第１の実施形態の無停電電源システム１を示す概略図の一例を示す図。
【図２】第１の実施形態の制御装置１００−２の構成を示す機能ブロック図。
【図３】第１の実施形態の制御装置１００−２の処理の流れを示すフローチャート。
【図４】第２の実施形態の制御装置１００ａ−２の構成を示す機能ブロック図。
【図５】第２の実施形態の制御装置１００ａ−２の処理の流れを示すフローチャート。
【発明を実施するための形態】
【０００７】
以下、実施形態の制御装置、制御方法及びコンピュータプログラムを、図面を参照して説明する。
【０００８】
図１は、第１の実施形態の無停電電源システム１を示す概略図の一例を示す図である。無停電電源システム１は、複数の無停電電源装置１０（無停電電源装置１０−１〜無停電電源装置１０−２）を備える。無停電電源システム１は、負荷２００に電力を供給する。無停電電源システム１は、複数の無停電電源装置１０を待機冗長で構成する。待機冗長構成は、主系となる無停電電源装置１０と従系となる無停電電源装置１０とで構成される。本実施形態では、無停電電源装置１０−１を主系、無停電電源装置１０−２を従系として説明する。以下、いずれの無停電電源装置であるかを区別しないときは、単に無停電電源装置１０と称して説明する。なお、本実施形態において、無停電電源装置１０の数を２つとしたが、３つ以上であってもよい。無停電電源装置１０−１は、第１無停電電源装置の一態様である。無停電電源装置１０−２は、第２無停電電源装置の一態様である。
【０００９】
主系となる無停電電源装置１０−１は、交流の商用電源５から電力が供給されている場合（以下「平常時」という。）に、商用電源５から供給される交流電力を負荷２００に供給する。このような平常時における無停電電源システム１の稼働状態を、「平常状態」という。無停電電源装置１０−１は、平常状態において、遮断器１２−１を介して蓄電池４０−１を充電しながら、負荷２００に電力を供給する。一方、交流の商用電源５による交流電力の供給が停止した場合（以下「障害時」という。）、無停電電源装置１０−１は、自装置に接続されている蓄電池４０−１から交流電力を負荷２００に供給する。このような障害時における無停電電源システム１の稼働状態を「放電状態」という。無停電電源装置１０−１は、上述した二つの稼働状態の切り替えを制御する。主系の無停電電源装置１０−１は、自装置がバイパス回路での給電へ切り換わったことと、バイパス回路が無停電電源装置１０−２に接続されている場合に、無停電電源装置１０−２に対して切り戻り信号を送信する制御回路（不図示）を設ける。このような制御は、従系となる無停電電源装置１０−２においても同様である。
【００１０】
従系となる無停電電源装置１０−２は、無停電電源装置１０−１によって電力が供給されている間は負荷２００に電力を供給しない。無停電電源装置１０−２は、無停電電源装置１０−１が停止した場合に、負荷２００へ電力を供給する。無停電電源装置１０−２は、外部からの切り戻り信号を自装置が備える制御基板（不図示）で受けた場合、数秒以内にバイパス回路からインバータ回路への給電に切り戻る制御を行う。具体的には、無停電電源装置１０−２は、コンバータ２０−２及びインバータ３０−２を起動し、遮断器１１及び遮断器１２を切り替える。無停電電源装置１０−２は、無停電電源装置１０−１によって負荷２００に電力が供給されている間、バイパス回路へ切り替えた状態で停止する。バイパス回路とは、遮断器１１が閉じることで電力が供給可能になる回路である。バイパス回路は、コンバータ２０及びインバータ３０を経由しない回路である。バイパス回路では、電力は遮断器１１を介して負荷２００に供給される。バイパス回路は、通常時に利用される経路である。なお、無停電電源装置１０−２は、図１に示す無停電電源装置１０−１の構成例と同様の構成を有する。
【００１１】
無停電電源装置１０は、交流の商用電源５から電力が供給されている場合（以下「平常時」という。）には、商用電源５から供給される交流電力を負荷２００に供給する。このような平常時における無停電電源システム１の稼働状態を、「平常状態」という。一方、交流の商用電源５による交流電力の供給が停止した場合（以下「障害時」という。）、無停電電源装置１０は、自装置に接続されている蓄電池４０から交流電力を負荷２００に供給する。このような障害時における無停電電源システム１の稼働状態を「放電状態」という。無停電電源装置１０は、上述した二つの稼働状態の切り替えを制御する。
【００１２】
無停電電源装置１０は、遮断器１１（遮断器１１−１〜遮断器１１−２）、遮断器１２（遮断器１２−１〜遮断器１２−２）、コンバータ２０（コンバータ２０−１〜コンバータ２０−２）、インバータ３０（インバータ３０−１〜インバータ３０−２）、蓄電池４０（蓄電池４０−１〜蓄電池４０−２）、切替器５０（切替器５０−１〜切替器５０−２）及び制御装置１００（制御装置１００−１〜制御装置１００−２）を備える。制御装置１００は、ＣＰＵ（Central Processing Unit）等のプロセッサがプログラムを実行することによって実現される。
【００１３】
遮断器１１は、商用電源５から供給された交流電力をバイパスして負荷に供給する。遮断器１２は、商用電源５から供給された交流電力をコンバータ２０に供給する。
【００１４】
コンバータ２０は、インバータ３０及び蓄電池４０に接続されている。コンバータ２０は、商用電源５から供給された交流電力を直流電力に順変換する。コンバータ２０−２は、平常状態において停止した状態となる。コンバータ２０−２は、蓄電池４０−２から測定される電圧値が負荷２００へ電力を供給できなくなることを示す閾値よりも小さい場合に、起動する。起動したコンバータ２０−２は、蓄電池４０−２への充電を開始する。コンバータ２０−２は、蓄電池の充電に関する機器の一態様である。
【００１５】
インバータ３０は、コンバータ２０及び蓄電池４０に接続されている。インバータ３０は、コンバータ２０から出力される直流電力と、蓄電池４０から供給される直流電力と、を交流電力に変換する。インバータ３０から出力された交流電力は切替器５０を介して負荷２００に供給される。インバータ３０−２は、蓄電池４０−２から測定される電圧値が負荷２００へ電力を供給できなくなる閾値よりも小さい場合に、電力が供給される。電力が供給されたインバータ３０−２は、蓄電池４０−２から供給される直流電力を交流電力に変換する。インバータ３０−２は、蓄電池の放電に関する機器の一態様である。
【００１６】
蓄電池４０は、平常時には、遮断器１２を介して無停電電源装置１０を介して交流の商用電源５から供給される電力の一部を蓄電する。一方、障害時には、蓄電されていた電力をインバータ３０に放電する。蓄電池４０は、鉛蓄電池でもリチウムイオン電池でもよい。蓄電池４０は、リチウムイオン電池が特に望ましい。
【００１７】
切替器５０は、負荷３００に供給される交流電力の供給経路を、制御装置１００の制御にしたがって切り替える。供給経路には少なくとも２つの種類がある。第１の供給経路はバイパス回路である。第２の供給経路は、コンバータ２０及びインバータ３０を経由する供給経路である。第２の供給経路は、インバータ回路という。第２の供給経路では、電力は遮断器１２を介して負荷２００に供給される。第２の供給経路は、例えば無停電電源装置１０のメンテナンス時など第１の供給経路を用いることができない際に利用される経路である。
【００１８】
負荷２００は、無停電電源装置１０から供給される交流電力によって動作する電気機器である。例えば、負荷２００は、インターネットデータセンター、銀行又は証券会社のオンラインシステム等の負荷設備である。
【００１９】
図２は、第１の実施形態の制御装置１００−２の構成を示す機能ブロック図である。以下、図２を用いて制御装置１００−２の各装置の構成について説明する。制御装置１００−２は、制御プログラムを実行することによって通信部１０１−２及び制御部１０２−２を備える装置として機能する。制御装置１００−２は、ＡＳＩＣ（Application Specific Integrated Circuit）やＰＬＤ（Programmable Logic Device）やＦＰＧＡ（Field Programmable Gate Array）等のハードウェアを用いて実現されてもよい。
【００２０】
通信部１０１−２は、ネットワークインタフェースである。通信部１０１−２はネットワーク又は通信回線を介して、他の装置と通信する。通信部１０１−２は、例えば無線ＬＡＮ（Local Area Network）、有線ＬＡＮ、Ｂｌｕｅｔｏｏｔｈ（登録商標）又はＬＴＥ（Long Term Evolution）（登録商標）等の通信方式で通信してもよい。
【００２１】
制御部１０２−２は、制御装置１００−２の各部の動作を制御する。制御部１０２−２は、例えばＣＰＵ等のプロセッサ及びＲＡＭ（Random Access Memory）を備えた装置により実行される。制御部１０２−２は、制御プログラムを実行することによって、電圧測定部１０３−２及び充電制御部１０４−２として機能する。
【００２２】
電圧測定部１０３−２は、蓄電池４０−２の電圧値を測定する。電圧測定部１０３−２は、測定された電圧値を充電制御部１０４−２に出力する。
【００２３】
充電制御部１０４−２は、測定された電圧値に基づいて、蓄電池４０−２の充電又は放電に関する機器を制御する。具体的には、充電制御部１０４−２は、測定された電圧値が、負荷２００へ電力を供給できなくなる所定の条件を満たすか否かを判定する。例えば、所定の条件とは、測定された電圧値が負荷２００へ電力を供給できなくなることを表す閾値よりも小さい値であることである。閾値は、予め定められた値が用いられてもよい。閾値は、負荷２００に応じて異なる閾値であってもよい。
【００２４】
充電制御部１０４−２は、測定された電圧値が所定の条件を満たす場合、蓄電池４０−２の充電又は放電に関する機器に対して電力の供給を開始するように制御する。充電又は放電に関する機器は、例えば、コンバータ２０−２及びインバータ３０−２である。例えば、充電制御部１０４−２は、コンバータ２０−２及びインバータ３０−２を起動する。起動とは、例えば、充電制御部１０４−２が、コンバータ２０−２及びインバータ３０−２に対して電力の供給が行われるように制御することである。充電制御部１０４−２は、コンバータ２０−２及びインバータ３０−２を起動すると、遮断器１２−２の電極を閉じる。遮断器１２−２が電極を閉じた場合、商用電源５から得られる電力は、コンバータ２０−２に流れ、蓄電池４０−２の充電が開始される。充電制御部１０４−２は、コンバータ２０−２及びインバータ３０−２を起動すると、遮断器１１−２を遮断する。
【００２５】
充電制御部１０４−２は、測定された電圧値が所定の条件を満たさない場合、蓄電池４０−２の充電又は放電に関する機器に対して電力の供給を停止するように制御する。例えば、充電制御部１０４−２は、コンバータ２０−２及びインバータ３０−２を停止する制御を行う。停止とは、例えば、充電制御部１０４−２が、コンバータ２０−２及びインバータ３０−２に対して電力の供給が行われないように制御することである。充電制御部１０４−２は、コンバータ２０−２及びインバータ３０−２を停止させると、遮断器１２−２を遮断する。遮断器１２−２が遮断した場合、蓄電池４０−２の充電が終了する。充電制御部１０４−２は、コンバータ２０−２及びインバータ３０−２を停止すると、遮断器１１−２の電極を閉じる。遮断器１１−２が電極を閉じた場合、商用電源５から得られる電力は、バイパス回路に流れ、コンバータ２０−２及びインバータ３０−２に電力の供給が行われなくなる。コンバータ２０−２及びインバータ３０−２に電力の供給が行われない場合、無停電電源装置１０−２の発熱が抑制される。
【００２６】
図３は、第１の実施形態の制御装置１００−２の処理の流れを示すフローチャートである。制御装置１００−２は、所定のタイミングで処理を行う。所定のタイミングとは、１時間おきであってもよいし、１日おきであってもよい。所定のタイミングとは、予め定められたタイミングであればどのようなタイミングであってもよい。無停電電源装置１０−２において、コンバータ２０−２及びインバータ３０−２は停止した状態である。制御装置１００−２の電圧測定部１０３−２は、蓄電池４０−２の電圧値を測定する（ステップＳ１０１）。制御装置１００−２の充電制御部１０４−２は、測定された電圧値が、蓄電池４０−２が負荷２００へ電力を供給できなくなることを示す閾値よりも小さい値であるか否かを判定する（ステップＳ１０２）。
【００２７】
測定された電圧値が閾値よりも小さい値ではない場合（ステップＳ１０２：ＮＯ）、処理は、ステップＳ１０６へ遷移する。測定された電圧値が閾値よりも小さい値である場合（ステップＳ１０２：ＹＥＳ）、充電制御部１０４−２は、コンバータ２０−２及びインバータ３０−２を起動する（ステップＳ１０３）。充電制御部１０４−２は、遮断器１１−２及び遮断器１２−２を切り替える（ステップＳ１０４）。具体的には、充電制御部１０４−２は、コンバータ２０−２及びインバータ３０−２を起動すると、遮断器１２−２を電極を閉じる。充電制御部１０４−２は、コンバータ２０−２及びインバータ３０−２を起動すると、遮断器１１−２を遮断する。遮断器の切り替えが行われると、蓄電池４０−２に対する充電が開始される（ステップＳ１０５）。ステップＳ１０５が終了すると、処理はステップＳ１０１へ遷移する。
【００２８】
充電制御部１０４−２は、コンバータ２０−２及びインバータ３０−２が起動しているか否かを判定する（ステップＳ１０６）。具体的には、充電制御部１０４−２は、コンバータ２０−２及びインバータ３０−２に電力が供給されている場合、起動していると判定する。充電制御部１０４−２は、コンバータ２０−２及びインバータ３０−２に電力が供給されていない場合、起動していないと判定する。充電制御部１０４−２は、コンバータ２０−２及びインバータ３０−２が起動していない場合（ステップＳ１０６：ＮＯ）、処理を終了する。
【００２９】
充電制御部１０４−２は、コンバータ２０−２及びインバータ３０−２が起動している場合（ステップＳ１０６：ＹＥＳ）、充電制御部１０４−２は、コンバータ２０−２及びインバータ３０−２を停止する（ステップＳ１０７）。充電制御部１０４−２は、遮断器１１−２及び遮断器１２−２を切り替える（ステップＳ１０８）。具体的には、充電制御部１０４−２は、コンバータ２０−２及びインバータ３０−２を停止すると、遮断器１２−２を遮断する。充電制御部１０４−２は、コンバータ２０−２及びインバータ３０−２を停止すると、遮断器１１−２の電極を閉じる遮断する。遮断器１１−２が電極を閉じた場合、商用電源５から得られる電力は、バイパス回路に流れる。遮断器１２−２が遮断することで、蓄電池４０−２に充電は終了する（ステップＳ１０９）。
【００３０】
このように構成された無停電電源システム１では、主系の無停電電源装置１０−１が停止した場合に、従系の無停電電源装置１０―２は、バイパス回路を用いて負荷２００に電力を供給する。その後、無停電電源装置１０―２は、インバータ回路へ切り替わり、インバータ回路を介して給電する。このため、主系の無停電電源装置１０−１が稼働している時は、インバータ回路に設けられるインバータ３０−２及びコンバータ２０−２は、停止している。電圧測定部１０３−２は、所定のタイミングで蓄電池４０−２の電圧値を測定する。充電制御部１０４−２が、測定された電圧値が、負荷２００へ電力を供給できなくなることを表す所定の条件を満たすか否かを判定する。測定された電圧値が所定の条件を満たす場合、充電制御部１０４−２は、蓄電池４０−２を充電する。充電制御部１０４−２は、充電を行うためにインバータ３０−２及びコンバータ２０−２を起動する。測定された電圧値が所定の条件を満たさない場合、充電制御部１０４−２は、蓄電池４０−２を充電しない。したがって、充電制御部１０４−２は、無停電電源装置１０−１が稼働している場合、蓄電池４０−２を充電するタイミングで、インバータ３０−２及びコンバータ２０−２を起動させ、充電が終わるとインバータ３０−２及びコンバータ２０−２を停止させるため、インバータ３０−２及びコンバータ２０−２から生じる発熱を抑制することができる。なお、無停電電源装置１０−２は、蓄電池４０−２としてリチウムイオン電池で構成されることで、充電に対して蓄電池４０−２の劣化の速度を抑制することが可能になる。
【００３１】
（第２の実施形態）
次に、第２の実施形態における無停電電源システム１について説明する。第２の実施形態における無停電電源システム１は、無停電電源装置１０−２の代わりに無停電電源装置１０ａ−２を備える点で第１の実施形態の構成と異なるが、それ以外の構成は同じである。以下、第１の実施形態と異なる点について説明する。
【００３２】
無停電電源装置１０ａ−２は、従系の無停電電源装置である。無停電電源装置１０ａ−２は、無停電電源装置１０−１によって電力が供給されている間は負荷２００に電力を供給しない。無停電電源装置１０ａ−２は、無停電電源装置１０−１が停止した場合に、負荷２００へ電力を供給する。無停電電源装置１０ａ−２は、無停電電源装置１０−１によって負荷２００に電力が供給されている間、コンバータ２０−２を停止させた状態で待機する。無停電電源装置１０ａ−２は、無停電電源装置１０−１が停止した場合、蓄電池４０−２から供給される直流電力を交流電力に変換することで負荷２００に電力を供給する。また、無停電電源装置１０ａ−２は、蓄電池４０−２に対して間欠充電を行う。間欠充電とは、蓄電池４０−２に対する充電方法の１つである。間欠充電とは、蓄電池４０−２に対して、充電を行ったり、充電を行わなかったり、を切り替えながら充電する方法である。具体的には、蓄電池４０−２から測定される電圧値が負荷２００へ電力を供給できなくなることを示す所定の条件を満たす場合に、蓄電池４０−２を充電を行う。測定される電圧値が負荷２００へ電力を供給できなくなる所定の条件を満たさない場合に、蓄電池４０−２を充電を行わない。このように、無停電電源装置１０ａ―２は、充電を切り替えることで蓄電池４０−２に対して間欠充電を行う。
【００３３】
図４は、第２の実施形態の制御装置１００ａ−２の構成を示す機能ブロック図である。以下、図４を用いて制御装置１００ａ−２の各装置の構成について説明する。制御装置１００ａ−２は、制御プログラムを実行することによって通信部１０１−２及び制御部１０２ａ−２を備える装置として機能する。制御装置１００ａ−２は、ＡＳＩＣやＰＬＤやＦＰＧＡ等のハードウェアを用いて実現されてもよい。
【００３４】
制御部１０２ａ−２は、制御装置１００ａ−２の各部の動作を制御する。制御部１０２ａ−２は、例えばＣＰＵ等のプロセッサ及びＲＡＭを備えた装置により実行される。制御部１０２ａ−２は、制御プログラムを実行することによって、電圧測定部１０３−２及び充電制御部１０４ａ−２として機能する。
【００３５】
充電制御部１０４ａ−２は、蓄電池４０−２から測定された電圧値と負荷２００へ電力を供給できなくなる所定の条件とに基づいて、蓄電池４０−２に対する間欠充電を制御する。具体的には、充電制御部１０４ａ−２は、蓄電池４０−２から測定された電圧値が、負荷２００へ電力を供給できなくなることを示す所定の条件を満たすか否かを判定する。例えば、所定の条件とは、測定された電圧値が負荷２００へ電力を供給できなくなることを表す閾値よりも小さい値であることであってもよい。閾値は、予め定められた値が用いられてもよい。閾値は、負荷２００に応じて異なる閾値であってもよい。
【００３６】
充電制御部１０４ａ−２は、蓄電池４０−２から測定された電圧値が所定の条件を満たす場合、蓄電池４０−２の充電に関する機器を起動する。充電に関する機器は、例えば、コンバータ２０−２である。起動とは、例えば、充電制御部１０４ａ−２が、コンバータ２０−２に対して電力の供給が行われるように制御することである。充電制御部１０４ａ−２は、コンバータ２０−２に対して電力の供給を開始するように制御する。コンバータ２０−２が起動すると、商用電源５から得られる電力は、コンバータ２０−２に流れる。コンバータ２０−２は、商用電源５から供給された交流電力を直流電力に順変換する。コンバータ２０−２は、直流電力に基づいて蓄電池４０−２を充電する。したがって、コンバータ２０−２が起動に伴い、蓄電池４０−２の充電が開始される。
【００３７】
充電制御部１０４ａ−２は、測定された電圧値が所定の条件を満たさない場合、蓄電池４０−２の充電に関する機器に対して電力の供給を停止するように制御する。例えば、充電制御部１０４ａ−２は、コンバータ２０−２を停止する制御を行う。停止とは、例えば、充電制御部１０４ａ−２が、コンバータ２０−２に対する電力の供給が行われないように制御することである。充電制御部１０４ａ−２は、コンバータ２０−２を停止させると、商用電源５から得られる電力は、コンバータ２０−２に流れなくなる。したがって、コンバータ２０−２が起動することに伴い、蓄電池４０−２の充電が終了される。
【００３８】
図５は、第２の実施形態の制御装置１００ａ−２の処理の流れを示すフローチャートである。制御装置１００ａ−２は、所定のタイミングで処理を行う。所定のタイミングとは、１時間おきであってもよいし、１日おきであってもよい。所定のタイミングとは、予め定められたタイミングであればどのようなタイミングであってもよい。なお、従系の無停電電源装置１０ａ−２が備えるコンバータ２０−２は、停止した状態である。制御装置１００ａ−２の電圧測定部１０３−２は、蓄電池４０−２の電圧値を測定する（ステップＳ２０１）。制御装置１００ａ−２の充電制御部１０４ａ−２は、測定された電圧値に基づいて、負荷２００へ電力を供給できなくなることを示す閾値よりも小さい値であるか否かを判定する（ステップＳ２０２）。
【００３９】
測定された電圧値が閾値よりも小さい値ではない場合（ステップＳ２０２：ＮＯ）、処理は、ステップＳ２０５へ遷移する。測定された電圧値が閾値よりも小さい値である場合（ステップＳ２０２：ＹＥＳ）、充電制御部１０４ａ−２は、コンバータ２０−２を起動する（ステップＳ２０３）。コンバータ２０−２が起動することで、蓄電池４０−２の充電が開始する（ステップＳ２０４）。
【００４０】
充電制御部１０４ａ−２は、コンバータ２０−２が起動しているか否かを判定する（ステップＳ２０５）。具体的には、充電制御部１０４ａ−２は、コンバータ２０−２に電力が供給されている場合、起動していると判定する。充電制御部１０４ａ−２は、コンバータ２０−２に電力が供給されていない場合、起動していないと判定する。充電制御部１０４ａ−２は、コンバータ２０−２が起動していない場合（ステップＳ２０５：ＮＯ）、処理を終了させる。
【００４１】
充電制御部１０４ａ−２は、コンバータ２０−２が起動している場合（ステップＳ２０５：ＹＥＳ）、コンバータ２０−２を停止する（ステップＳ２０６）。コンバータ２０−２が停止することで、蓄電池４０−２の充電は終了する（ステップＳ２０７）。
【００４２】
このように構成された無停電電源システム１では、主系の無停電電源装置１０−１が停止した場合に、従系の無停電電源装置１０−２は、蓄電池４０−２から供給される電力に基づいて、負荷２００に電力を供給する。無停電電源装置１０ａ−２は、コンバータ２０−２を停止させた状態で待機する。電圧測定部１０３−２は、所定のタイミングで蓄電池４０−２の電圧値を測定する。充電制御部１０４ａ−２は、測定された電圧値が、負荷２００へ電力を供給できなくなることを表す所定の条件を満たすか否かを判定する。測定された電圧値が所定の条件を満たす場合、充電制御部１０４ａ−２は、蓄電池４０−２を充電する。充電制御部１０４ａ−２は、充電を行うためにインバータ３０−２を起動する。測定された電圧値が所定の条件を満たさない場合、充電制御部１０４ａ−２は、蓄電池４０−２を充電しない。したがって、充電制御部１０４ａ−２は、無停電電源装置１０−１が稼働している場合、蓄電池４０−２を充電するタイミングでインバータ３０−２を起動させ、充電が終わるとインバータ３０−２を停止させる間欠充電を行うため、インバータ３０−２から生じる発熱を抑制することができる。なお、無停電電源装置１０ａ−２は、蓄電池４０−２としてリチウムイオン電池で構成されることで、間欠充電に対して蓄電池４０−２の劣化の速度を抑制することが可能になる。
【００４３】
上述の実施形態では、充電制御部が、測定された電圧値が負荷へ電力を供給できなくなる所定の条件を満たすか否かに基づいて、蓄電池４０−２に対する充電の可否を判定したが、電圧値に限定されない。例えば、充電制御部は、電圧値の代わりに、電流値又は電力値等のように、蓄電池４０−２から測定可能な値であればどのような値を用いて判定してもよい。この場合、所定の条件は、電圧値に関する閾値の代わりに、測定される値に関する閾値が用いられる。
【００４４】
上述の実施形態では、所定の条件として、測定された値に関する閾値が用いられたが、閾値に限定されない。例えば、所定の条件は、１週間、３日等の予め定められた期間であってもよい。この場合、充電制御部１０４−２は、前回の充電から予め定められた期間が経過したか否かを判定する。充電制御部１０４−２は予め定められた期間が経過した場合、蓄電池４０−２に対する充電を行う。充電制御部１０４−２は予め定められた期間が経過していない場合、蓄電池４０−２に対する充電を行わない。
【００４５】
上記各実施形態では、電圧測定部及び充電制御部はソフトウェア機能部であるものとしたが、ＬＳＩ等のハードウェア機能部であってもよい。
【００４６】
制御装置は、ネットワークを介して通信可能に接続された複数台の情報処理装置を用いて実装されてもよい。この場合、制御装置が備える各機能部は、複数の情報処理装置に分散して実装されてもよい。例えば、電圧測定部と充電制御部とはそれぞれ異なる情報処理装置に実装されてもよい。
【００４７】
以上説明した少なくともひとつの実施形態によれば、電圧測定部１０３及び充電制御部１０４を持つことにより、待機中の無停電電源装置１０−２の発熱を抑制することができる。
【００４８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４９】
１…無停電電源システム、５…商用電源、１０…無停電電源装置、１１…遮断器、１２…遮断器、２０…コンバータ、３０…インバータ、４０…蓄電池、５０…切替器、１００…制御装置、１０１…通信部、１０２…制御部、１０３…電圧測定部、１０４…充電制御部、２００…負荷
【図１】
2020137224.tif 000003
【図２】
2020137224.tif 000004
【図３】
2020137224.tif 000005
【図４】
2020137224.tif 000006
【図５】
2020137224.tif 000007